【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
機密文書を作成するための方法であって：
（ａ）第１のトナーと第２のトナーとが異なる粘度であるように第１のイメージ要素のための前記第１のトナー及び第２のイメージ要素のための前記第２のトナーを選択するステップと；
（ｂ）前記第１のトナーをピクセル・バイ・ピクセルを基準に受像紙上に印刷するステップと；
（ｃ）定着前に、前記第２トナーを前記受像紙上に共に印刷するステップと；
（ｄ）定着した印刷(fixed  print)上に前記トナーを定着させるステップと、
を有し、
第１のトナー及び第２のトナーの一方は、他方のトナーの少なくとも一部に重なるよう少なくとも一側において他方より大きく、該重なりは観察して明らかではないようにされる、
方法。
【請求項２】
前記第１のトナー及び／又は第２のトナーは、磁性トナー、カラートナー、クリアトナー、異なる組成のトナー、より高濃度のトナー、及び紫外線硬化トナーのうち１つ又はそれより多くを含む１つ又はそれより多くの着色トナーを更に有する、
請求項１記載の方法。
【請求項３】
第１の上方トナーをピクセル・バイ・ピクセルの第２の下方トナーの上に重ねるステップを更に有し、前記第２のトナーは、前記第１のトナーの一部を越えて延在することによって少なくとも部分的なハローを作り、該ハローが顧客、時間、内容、及び状態のうち１つ又はそれより多くによって変えられ得るようにする、
請求項１記載の方法。
【請求項４】
機密文書であって：
（ａ）事前印刷受像紙と；
（ｂ）該事前印刷受像紙上にピクセル・バイ・ピクセルを基準に印刷された第１のトナーを有する第１のイメージ要素と；
（ｃ）第２のトナーを有する第２のイメージ要素と、
を有し、
前記第１のトナーと前記第２のトナーとは、異なる粘度であり、前記事前印刷受像紙上にピクセル・バイ・ピクセルを基準に共に印刷され、定着する前に、他方のトナーの少なくとも一部分に重なるようにされる、
機密文書。
【請求項５】
第１の上方トナーをピクセル・バイ・ピクセルの第２の下方トナーの上に重ねることを更に有し、
前記第２のトナーは、少なくとも一側において他方より大きく、且つ顧客、時間、内容、及び状態のうち１つ又はそれより多くによって可変であり、且つ観察して区別出来ないピクセルで作るように前記第１のトナーの一部を越えて延在することによって少なくとも部分的なハローを作る、
請求項４記載の文書。
【手続補正２】
【補正対象書類名】明細書
【補正対象項目名】全文
【補正方法】変更
【補正の内容】
【発明の詳細な説明】
【発明の名称】機密文書印刷
【技術分野】
【０００１】
本発明は、一般に機密イメージ要素(secure  image  elements)での文書の印刷に関し、より特には、機密文書(secure  document)及び方法を作成するために文書内に機密イメージ要素を配列及び印刷する方法及び装置に関する。
【背景技術】
【０００２】
毎年、何十億という個人小切手、業務用小切手、チケット、支払い票、領収書、及び他の商用文書が処理されている。紙を使わずに支払い及び/又は送金を行う方法が利用できるにもかかわらず、処理されている文書の量は、増え続けている。
【０００３】
印刷文書が虚偽の変更を受けやすいことにより、毎年何十億ドルという費用が業界にかかっている。変更は、非標準文書（偽造）の印刷、並びに／あるいは、原文書上のイメージ要素の削除、追加又は変更という形をとる。業界は、文書の真正性を速く正確に評価する方法及び文書変更をより難しくする方法を必要としている。
【０００４】
機密文書を印刷するための案は多く存在する。このような案は一般的に、下地（被印刷物）の操作に関連するもの、及びイメージ内容の追加に関連するものの２種類に分けられる。下地の操作の例には、基礎をなす下地の再帰性反射の性質を実質的に妨げることなく、文書の表面をその上に印刷されるトナー及びインクを受け入れるようにする再帰性反射文書用の被覆物について記載する、US20030211299  A1（特許文献１）がある。文書を加工する方法もまた提供されている。
【０００５】
US5888622A（特許文献２）は、イオン蒸着プリンターのような非接触印刷装置を用いて印刷される文書に対する強化されたトナー接着力を提供する被覆セルロース織物製品及び塗料を提供する。トナー粘着力が強化された被覆セルロース製品及び塗料は、第１及び第２の大きい表面を持つセルロース織物を含み、該２つの大きな表面のうち少なくとも１つは、重合トナー受容体の層をその上に被覆されている。
【０００６】
US6086708A（特許文献３）は、偽物に対する安全性を増した小切手又は株券のような文書を作成する方法について詳述する。該文書は、その文書上に貼る３次元光回折イメージを持つ1片の箔（フォイル）を有する。該１片の箔は、該文書のバックグラウンド印刷又はおもて面印刷が終わる前又は終わった後に、文書に貼りつけられ得る。このようにしてその光回折片は、望み通りバックグラウンド印刷及びおもて面印刷により印刷し続けることができる。
【０００７】
イメージ内容又はイメージング材料の操作を含む方法の例には、US20050282077A1（特許文献４）がある。該文献は、化学的又は物理的に偽造しにくく且つ簡単に見て確認できる印刷文書のためのトナーを記載し、また、該トナーの使用及び形成の方法が開示されている。該トナーは、文書の表面上にイメージを印刷するための着色剤、及び下地の表面下において潜像イメージを形成するための染料を含む。該発明のトナーを使い形成されるイメージは、着色剤で形成されるイメージ及び染料で形成されるイメージを比較することにより容易に確認され得る。加えて、下地上に印刷されたイメージを変えようとして溶剤が用いられる場合、染料は、文書の改ざんを示すよう移動又は拡散する。
【０００８】
US20050142468A1（特許文献５）は、写図器(pantograph)で銀行手形等である文書を印刷する方法について記述する。記述通りに印刷された文書は、デジタル可変写図器及び他の機能強化を含み得る。該発明は特に、安全性が強化された文書及びその製造（生成）に有用である。US20050142469A1（特許文献６）は、縮小写真印画法を使用する印刷システム、プロセス及び製品について記述する。記述通りに印刷された文書は、デジタル可変縮小写真印画及び他の機能強化を含み得る。該発明は特に、機密性（安全性）が強化された文書及びその製造に有用である。
【特許文献１】US20030211299  A1
【特許文献２】US5888622A
【特許文献３】US6086708A
【特許文献４】US20050282077A1
【特許文献５】US20050142468A1
【特許文献６】US20050142469A1
【発明の開示】
【発明が解決しようとする課題】
【０００９】
これらの安全性強化の方法にもかかわらず、文書の偽造及び操作は依然として問題となっている。
【課題を解決するための手段】
【００１０】
本発明は、改ざん又は虚偽変更に対し非常に改良された抵抗性を持つトナーイメージ要素を有して機密文書を作る電子写真印刷法を提供する。文書の安全性の特徴は、受像紙(receiver)上に1以上のトナーを印刷することによって実現され、かかるトナーの組み合わせは、定着（fixation）前に受像紙上に共に印刷される(co-printed)。この方法を使うことにより、多種の安全性の特徴が実現され得る。
【発明を実施するための最良の形態】
【００１１】
本出願は、少なくとも１つのカラー図面を含む。カラー図面を有する本願のコピーは、要請及び必要な手数料の支払いにより米国特許商標庁から提供される。
【００１２】
本発明の好ましい実施例は、一例として電子写真プリンターに関連して記述される。これは、本発明がかかる用途において特に有益であると考えられるためである。本発明は、色とソフトウェアとの間において優れた位置合わせを備える、なんらかのサイズ又は容量を有するいかなる種類の電子写真システム、あるいは他のプリンター又はイメージプロセッサーにおいても使用され得、また、優れた位置合わせを有するマルチカラープリンターにおいても使用され得る、ということが本願を参照する当業者には理解されるであろう。したがって、本明細書は、一例としてのみ提供されるものであり、特許請求された本発明の真の範囲が制限されるようには意図又は予期されていない。大半の小切手は、インクペンを使用して手で記入すること又は黒色トナーを使ってデジタル印刷することによって、事前に印刷された用紙に印刷及び記入される。何らかの理由でトナーが紙にしっかり定着しない場合には、除去及び変更は、黒色トナーを使用して偽造者自身の情報を除去された領域に単純に再印刷することによって容易に達成されてしまう。小切手の再印刷をより困難にする１つの方途は、高コントラストのイメージトナーの下に僅かに幅の広いイメージとして原印刷に異なる色を追加することである。
【００１３】
図１において、本発明の好ましい実施例の一般的な状態を示すよう、機密文書を印刷するための１つの典型的な方法及び関連するシステムのフローチャートが概略的に示され、本発明が幅広い印刷機械に適用可能であることが理解される。本発明の好ましい実施例による方法は、ステップ１００で示すように、受像紙に印刷要素を印刷する前に、第１及び第２イメージ要素に対して、色等であるトナーの特徴を選ぶことから始まる。受像紙は、紙、金属、布、ワックス、及び材料の組み合わせ等を含むトナーを受け入れるなんらかの構成を有する印刷されていないかあるいは事前に印刷された受像紙であり得る。好ましい実施例において、機密文書へと組み込まれる関心対象である第１のイメージ要素は少なくとも、ステップ１０２で示すように、コントローラーで分析及び格納されるフォント及び文字サイズを持つため、ピクセルは、ステップ１０４によって表されるように適切なハローを作るよう夫々の第２のイメージ要素又はもう片方の(companion)イメージ要素形(shape)に対して加えられ得る。このハローは、後により詳しく述べられる通りハローを形成しながら少なくとも1面に、又は多方面においてイメージ要素を本質的に拡大する。ステップ１０６で示すようにユーザー入力は、これらのステップを変更することができる。
【００１４】
２つのイメージ要素は、境界効果又は他の問題を識別するようステップ１０８において比較され、必要であればステップ１１０で示される通り該境界効果又は他の問題を修正する。そうすることにより、ステップ１１８及び１２０に示される通り、一方のイメージ要素は他方のイメージ要素の上又は隣に印刷され、続いて任意で、熱、圧力、紫外線、赤外線、溶剤、又は他の技術的に既知である定着方法を使用してイメージを定着させ、最終的な機密文書を作る。これは、場合によっては溶融(fusing)と称されるものであり、熱及び／又は圧力、並びに紫外線放射、赤外線放射、溶剤又は他の定着方法による定着も含まれ得る。この技術に必要なコントローラーには、トナー色を選択すること、上方文字（upper  character）のフォント及び大きさを決定すること、及び適切なハローを作るために下方文字形（bottom  character  shape）にピクセルを加えること、が求められる。文字のフォント及び大きさに関連するハローの大きさは、顧客の要望又はデフォルトの大きさに応じて変化され得る。横並びの組み合わせ又は上下の組み合わせには、ビットマップレベル又はそれより前において色処理のために文字を解析するための適切なソフトウェアが必要とされる。
【００１５】
図２は、イメージ要素を印刷するために用いられる印刷装置とも称される装置１９０の略図である。装置１９０は、複数の現像ステーション(development  stations)２００，２０２，２０４，２０６及び２０８を含む。これらの各現像装置は、受像紙２１８上にトナーイメージ要素を与え(apply)得る。図２に示されている装置１９０の一例は、NexPress  Solutions,  Inc.社（ネックスプレスソリューションズ)によって販売されているNexPress２１００デジタルプリンターである。好ましい実施例においては、まず、非磁性(non-magnetic)トナーイメージ要素は、現像ステーション２００，２０２，２０４及び２０６によって受像紙に与えられる。また、図２においては、定着部材(fixing  member)２１２及び２１４、並びに受像紙２１８を運ぶベルト２１６が示される。これらについては下記に詳述する。
【００１６】
好ましい一実施例において、非磁性トナーは、１乃至４０，０００センチポアズ(40kcP)の粘度及び１乃至２０の弾性（タンデルタ、tanδ）を有する。かかる弾性とは、平行板レオメータにおいて１２０℃で測定されたトナーの貯蔵弾性率に対する弾性係数の比率と定義される。好ましい一実施例において、非磁性トナーは、１０，０００乃至１５，０００センチポアズ(cp)の粘度及び２乃至４．５のタンデルタを有する。より好ましい一実施例において、非磁性トナーは、１０，０００cp乃至１２，０００cpの粘度及び２乃至２．５のタンデルタを有する。非磁性トナーは、光学的、紫外線、又は赤外線に対して感度の良い顔料を含有し得る。非磁性トナーイメージ要素は、好ましくは０．０１乃至５．００の光透過密度(optical  transmission  density)において受像紙に与えられる。１つの好ましい非磁性トナーは、NexPress  Solutions,  Inc社によって販売されているNexPress  DryInkである。
【００１７】
図３は、図２中のイメージングユニット(imaging  unit)２００等である１つの典型的なイメージングユニットの詳細図である。イメージングユニット３００は、受像紙２１８上に磁性及び非磁性トナーを印刷するために使われ、光学的書き込み器（ライター）(optical  writer)３０２、帯電要素(charging  element)３１０、イメージ形成部材３０４、現像ステーション３０６、転写（移送、transfer）部材３０８、トナー濃度センサー３１２、イメージ濃度センサー３１４、及び論理制御ユニット３１６を含む。均一な電荷（charge）は、帯電要素３１０によってイメージ形成部材３０４に印加される。イメージ要素は、光学的書き込み器３０２からの集中光を伴って荷電層（charged  layer）を放電することによって帯電層（charging  layer）に書き込まれる。このイメージ形成プロセスの例は、米国特許第６，９０９，８５６号中に記述される。
【００１８】
書き込み器によって書き込まれたイメージ要素は、潜像を形成し、現像ステーション３０６によって色調を変えられる。現像ステーション３０６は、NexPress  DryInk等である磁性又は非磁性トナー、及びUS4546060  Aに詳述されるような磁性キャリア(magnetic  carrier)を含有する。磁性トナーは、１乃至２００，０００センチポアズ(cp)の粘度と０．１乃至２０の弾性を有する。磁性トナーは、Magnox-Pulaski  Inc.社（マグノックス・プラスキー）によって販売されているような１０％乃至３０％（百分の１０乃至３０（ｐｐｈ））の酸化鉄磁性体を含有し得る。磁性又は非磁性トナーは、任意で光学顔料、紫外線顔料、又は赤外線顔料、及び任意の摩耗補助(optional  abrasion  aids)を含有してもよい。US6766136  B2に詳述されるような磁性トナーが好ましい。続いてトナーイメージ要素は、転写部材３０８に転写され、受像紙３１８に転写される。図２の参照符号２０２，２０４，２０６及び２０８等であるその後のイメージングユニットは、同様に、受像紙３１８に追加のイメージ要素を与える。
【００１９】
図２を参照すると、蓄積トナーイメージ要素を有する受像紙２１８上のイメージは、熱、圧力、紫外線放射又は赤外線放射、溶剤、あるいは技術的に周知である手段によって定着される。好ましい実施例において、イメージは、定着部材２１２及び２１４によって熱及び圧力を介して定着される。イメージ定着の好ましい温度は、摂氏１５０度乃至２００度であり、圧力は４０ポンド／平方インチ乃至４００ポンド／平方インチである。最も好ましい実施例は、摂氏１６０度乃至１８５度の定着温度、及び４０ポンド／平方インチ乃至４００ポンド／平方インチの圧力を用いる。
【００２０】
組み合わされたトナーイメージ要素の定着は、適切な信号強度及び下地の広い範囲に対する改良された粘着性を有するイメージ要素をもたらす。本発明の好ましい実施例を用いて印刷される磁気インク文字認識（ＭＩＣＲ）の文字に対する磁気波形信号強度は、「ｏｎ−ｕｓ（オンアス）」文字に対しては１００−１２０％である。該「ｏｎ−ｕｓ」文字は通常、商用小切手に対して小切手等上に連続的なシリアル番号を配置するようしばしば使用されるＭＩＣＲ行におけるルーティングフィールド（routing  field）の左側に印刷される文字であるが、第１の位置に対して類似する他の位置であってもよい。ＭＩＣＲ文字信号強度は、RDM  Corporation社によって製造されるＲＤＭ  ＭＩＣＲ限定子(qualifier)を用いて測定された。該限定子は、受像紙上に印刷されたＭＩＣＲ文字の磁気信号強度を測定した。業界標準は、ＭＩＣＲ文字の磁気信号強度が５０％乃至２００％にあることを要求する。
【００２１】
本発明を用いて印刷及び定着されたイメージ要素は、業界標準の読取分類機（リーダーソーター）を通るときの摩擦に対する増加された抵抗を示す。小切手の読取及び分類は、磁性トナー印刷イメージの主な適用例である。業界標準機器は、ＩＢＭ  ３８９０高速読取分類機である。トナー印刷イメージは、小切手が使用した場所から振り出し銀行（bank  of  origin）に転送される際に前出の機器を反復的に通される。本発明により印刷された磁性トナーイメージの読取分類機性能を決定するよう、標準試験が用いられる。該試験は、以下のステップを含む：  
１．  適切にフォーマットされた文字行と明確にされたフォントを有して１０００のトナーイメージを印刷する。  
２．  ＩＢＭ３８９０  読取分類機を通すことによりトナーイメージを読取／分類する。  
３．  リーダー／ソーターが何らかの理由で拒絶（リジェクト）した（エラーとなった）イメージを取り除く。  
４．  ステップ２及び３は反復され、共に「通過(pass)」を形成し、合計２０回の通過を行なう。  
５．  イメージ不具合の数を総読取／分類回数で割ることにより拒絶率（リジェクト率）を計算する。  
例えば、１０００の小切手のイメージが読取／分類機を通り、１つのイメージが各通過において拒絶された場合、拒絶率は、拒絶された回数２０を読取／分類回数２００００で割った商又は０．１％の拒絶率である。
【００２２】
表１は、競合システムに対する本発明を用いて印刷された磁性トナーイメージ要素の際だった改良を示す。  
【００２３】
＜表１＞  
プリントシステム          ＩＢＭ３８９０読取／分類機拒絶率
ベンチマークＡ                1.25%  
ベンチマークＢ                0.20%  
ベンチマークＣ                0.40%  
本発明                        0.04%
【００２４】
改良された読取／分類機拒絶率に加えて、トナーイメージ要素の摩耗による信号損失も改良される。表２は、読取／分類機を２０回通った磁性トナーイメージ要素による磁気信号損失の百分率を示す。信号損失は、読取／分類機における読取りヘッド及び書込みヘッドによる印刷材料の除去に起因する。トナーイメージ要素の磁気信号強度は、読取／分類機試験の前及び後に測定され、磁気信号における％減が報告されている。
【００２５】
＜表２＞
プリントシステム        磁性イメージ要素信号損失
ベンチマークＡ              4.00%
ベンチマークＢ              0.95%
ベンチマークＣ              7.50%
本発明                      0%      107478827  5827314S
【００２６】
イメージングユニットによるイメージ要素の適用の組み合わせ及び順序は、文書中に埋め込まれ得る安全性特性のアレイに貢献し（make  for  an  array  of  security  features）、並びに／あるいは、下地に対する非常に向上された接着力を磁性トナー文字に与える。様々な実施例を以下に詳述する。
【００２７】
これより図４を参照する。１以上の第１のトナーイメージ要素４０２は、受像紙４０４に印刷され、次に第２のトナーイメージ要素４００で全体的にあるいは部分的に重ねて印刷される。この好ましい実施例において、第１のトナーイメージ要素４０２は、ここでは第１の色である第１の特徴を有する。第２のトナーイメージ要素４０２は、第２の色である第２の特徴を有し、該第２の色は、第１のトナーイメージ要素の両側を超えることができ、第１のトナーイメージ要素の少なくとも一部においてハロー効果をもたらし得る。また、定着時にトナーの組み合わせにおけるトナーは、熱及び圧力によって更に処理され得るため、第２のトナーイメージ要素は、定着時に第１のイメージ要素のイメージ品質を変える。例えば単独で印刷される場合、第１トナーの本質的高い粘度及び弾力性は、優先的につや消し仕上げに定着する。第１のトナーイメージ要素が、より低粘度でより弾力性の少ない第２のトナーによって重ね刷りされるとき、重ね刷りされたトナーは、大変光沢のある(glossed)仕上げに定着する。第１のトナーイメージの内容を変えようとする試みが変更された第１／第２トナーイメージ要素複合物の明らかな光沢における変化又は断絶をもたらすときに、文書の安全性が実現される。
【００２８】
対比色における僅かにより幅の広い下文字(under-character)は、各文字の周りにハロー効果を呈し、原イメージの改ざんを容易に明らかなものとする。下色（under  color）は、しっかりと標準に維持されるか、あるいはゆっくりと変化され得る。色が例えば各会社に対して小さな域（tiny  gamut）にしっかり維持される場合、かかる会社からの小切手は、容易に識別され得、かかる小切手を再印刷しようとする試みは、偽造者の側に優れた技術を求めることとなる。下色が変わり得る場合、テキストの書き換えは、色の変化の連続的特性における中断によって識別され、また、偽造者が受取人又は金額欄等である重要な範囲におけるハローに色を適合させることを困難にする。
【００２９】
かかる下色文字は、上位文字（top  character）より千分の数インチのみ大きい必要があり、非常に注意深い位置合せが求められる。NexPress  ２１００は、色域に対する性能（capability  for  a  gamut  of  color）を持つばかりでなく、全てを位置合わせするという位置合わせ性能を持つ。選択された下色が下地の表面の色に対して明暗を有すると仮定すると、下位の文字（lower  character）は、強い色である必要はなく、淡いイメージでよい。異なる色の複数の組み合わせは、使用され得るが、プリンターにおける色の順序に制限される。優れた位置合わせ（registration)における複数色の特徴により、記入された(in-filled)文字の一部分は１つの色にされ、同一の文字の横並び又は上下に隣接する部分は異なる色にされ得る。この技術は、機密である記入された文字に独特な外観を与え、いかなるイメージの書き換えも検出される。
【００３０】
図５を参照すると、第２のトナーイメージ要素５０２は、受像紙５０４上に印刷され、その後第１のトナーイメージ要素５００によって重ね刷りされる。続いて、共に印刷されたイメージは、いわゆる逆ハローを有し、上位又は第１のイメージ要素は、下位又は第２のイメージ要素を覆う。第２のトナーは、光学的、紫外線、赤外線顔料を含有してもしなくてもよい。第２のトナーイメージ要素はまた、光透過密度０．０１乃至５．００において受像紙に与えられる。第１及び第２のトナーイメージ要素の組み合わせの定着は、適切な信号強度及び下地の広い範囲に対する向上された接着力を備えるイメージ要素もたらす。
【００３１】
図６を参照すると、第２のトナーイメージ要素６００は、第１のトナーイメージ要素６０２に隣接して印刷され、共に印刷されたイメージは、熱及び圧力によって定着される。第１のイメージ要素及び第２のイメージ要素は、互いの側方に印刷され、いずれも互いに及ばないようにされる。結果もたらされる共に印刷及び定着されたイメージは、第１及び第２トナーを両方含有するが、第２のトナーのみで構成されているかのように見える。更に、第１及び第２のイメージ要素は、真偽決定に使用される時点で復号され得る情報を符号化するよう配置され得る。
【００３２】
図７を参照すると、下地７００は、８０kcPという高粘度の第１トナーに対しては粘着が困難である下地である。まず、粘度１０kcPである第２トナーイメージ要素で印刷すること、及びそこに１つ又はそれより多くの高粘度の第１又は第２のトナー７０４，７０６，及び７０８を重ね刷りすることは、第１のトナーへの粘着力を向上させ得る。このトナーのスタック(積み重ね、stack)は更に、高粘度トナーからもたらされる他のつや消しイメージに高度の光沢を与えるためによう、更に他の低粘度トナーで重ね刷りされ得る。図７に示されるスキームを用いて、多種の程度の光沢は、低粘度トナーの種々の量及び範囲の混合によって画像に対して与えられ得る。かかるトナーの階層化は、イメージにおける高度の光沢、更にはＭＩＣＲイメージとしての役割を果たす適切な第１の信号強度を有する、優れた粘着力の第１のトナーをもたらす。
【００３３】
図８を参照すると、第１の高粘度トナーは、先ず下地８００に印刷され得、更には高粘度の第１又は第２のトナーの１以上の層で重ね刷りされる。イメージに望ましい程度の光沢を分け与えるため最後の高粘度トナーの層の上方おいては更に、第２の低粘度トナーの１層又は層の１部分が印刷され得る。低粘度トナーのより低程度の被覆（coverage）は、イメージへの低光沢をもたらす一方、低粘度トナーのより高程度の被覆は、より高いイメージ光沢をもたらす。更には、イメージ要素は、単一の温度及び圧力で定着される。
【００３４】
図９を参照すると、情報内容は、下地９０４上に互いに隣接して与えられる第１のトナーイメージ要素９０２及び第２のトナーイメージ要素９０６の媒介でイメージへと符号化され得る。かかるトナーイメージ要素の配置は、磁気的、光学的、紫外線、赤外線、又は他の技術的に既知である変換方法を媒介として読み込まれるパターンを作り出すことができる。しかし、高粘度の第１のトナーイメージ要素が、低粘度のトナーイメージ要素の隣に印刷される場合、差別的な光沢がイメージに現れる。このことは、図９で図示された実施例においては、全体イメージが均一の光沢レベルに定着されるように第１及び第２のイメージ要素を低粘度又は高粘度のトナーで重ね刷りすることにより避けられる。
【００３５】
図１０は、ある種類のオカルト印刷（occult  printing）である他の実施例を示す。該印刷は、下トナー(undertoner)又は下色(undercolor)と称される他のトナー１００２の濃度と同等であるかそれより高い濃度の表面トナー１０００でふさぐようか覆うよう計算された濃度を有する１つのトナーを印刷するものである。表面トナー層１０００を介して下色１００２を見るのではなく、下色１００２は、表面トナー１０００で覆われ得るため、該下色は、透過光において見られ得るのみであり、それによって会社のロゴ又は公式シール等のコピーを防ぐことができる。並びに／あるいは、下色は、トナーの蒸着の上部を軽く削り取ることによって見られ得るため、下地が見えるようにされ得、文書が本物であり且つ以前にも識別されていないことを識別することができる。好ましい実施例では、表面トナー１０００は、固体であるか、あるいは９０％以上ハーフトーン(halftone)である。下トナーは、２００５年４月８日出願である同時係属の出願番号第11/102,349号「Hidden  MICR  Printing  for  Security」において記載されるＭＩＣＲ等である他の材料を含有することができる。他の好ましい一実施例では、下色は、表面トナー１０００より明るい色である。
【００３６】
図１１は、上述の方法を用いて印刷された実際の第１及び第２の文字の複製である。参照符号１１００は、第１のトナーイメージ要素によって重ね刷りされた第２のトナーイメージ要素の行を示す。参照符号１１０２は、互いに隣り合って印刷された第１及び第２のトナーイメージ要素を示す。参照符号１１０４は、第２のトナーイメージ要素によって重ね刷りされた第１のトナーイメージ要素を示す。
【図面の簡単な説明】
【００３７】
【図１】本発明の印刷プロセス及びシステムのフローチャートを示す。
【図２】本発明による電子写真マーキング(electrographic  marking)又は複製システムの概略図である。
【図３】本発明による電子写真マーキング又は複製システムにおけるイメージングユニットの概略図である。
【図４】本発明によるトナーイメージ要素を含む印刷文字の略図である。
【図５】本発明によるトナーイメージ要素を含む印刷文字の略図である。
【図６】本発明によるトナーイメージ要素を含む印刷文字の略図である。
【図７】本発明による機密文書を示す。
【図８】本発明によるトナーイメージ要素を含む印刷文字の略図である。
【図９】本発明によるトナーイメージ要素を含む印刷文字の略図である。
【図１０】本発明によるトナーイメージ要素を含む印刷文字の略図である。
【図１１】本発明によるトナーイメージ要素を含む印刷文字の略図である。